(57)【要約】【課題】梁鉄骨をＲＣ柱の天面部に水平方向の位置精度高くしかも容易に設置することができ、加えて、グラウト等の充填材が硬化するまでの間の梁鉄骨の姿勢安定性を高いものにできるＲＣ柱天面部への梁鉄骨の設置構造を提供する。【解決手段】ＲＣ柱１の天面部に、柱側垂直プレート４が、ＲＣ柱１の側面から外方に突出するようにＲＣ柱１のコンクリート中に埋込み状態に設けられると共に、梁鉄骨２に下方に突出する梁側垂直プレート６が設けられ、梁鉄骨２が、その垂直プレート６を、ＲＣ柱１側の垂直プレート４の側方突出板部４ａとボルト接合することにより、ＲＣ柱１の天面部から上方に離間した状態となるように設置され、ＲＣ柱１の天面部と梁鉄骨２との間に充填材としてのグラウト３が充填されている。【選択図】      図１
2007132000.tif 000002
【特許請求の範囲】
【請求項１】
ＲＣ柱の天面部に、柱側垂直プレートが、ＲＣ柱の側面から外方に突出するようにＲＣ柱のコンクリート中に埋込み状態に設けられると共に、梁鉄骨に下方に突出する梁側垂直プレートが設けられ、梁鉄骨が、その垂直プレートをＲＣ柱側の側方に突出するプレート部とボルト接合することにより、ＲＣ柱の天面部から上方に離間した状態となるように設置され、かつ、ＲＣ柱の天面部と梁鉄骨との間にグラウト等の充填材が充填されていることを特徴とするＲＣ柱天面部への梁鉄骨の設置構造。
【請求項２】
ＲＣ柱側の垂直プレート部のボルト通孔、及び／又は、梁鉄骨側の垂直プレートのボルト通孔が、梁鉄骨の高さ位置を調整可能なルーズ孔からなる請求項１に記載のＲＣ柱天面部への梁鉄骨の設置構造。
【請求項３】
前記ＲＣ柱側の垂直プレートに、該ＲＣ柱の主筋を囲むループ状のバンドプレート部が一体的に設けられており、該バンドプレート部がＲＣ柱のコンクリート中に埋込み状態に設けられている請求項１又は２に記載のＲＣ柱天面部への梁鉄骨の設置構造。
【請求項４】
前記ＲＣ柱側の垂直プレートに、該ＲＣ柱のコンクリートの外周部を囲むループ状のバンドプレート部が一体的に備えられ、該バンドプレート部でＲＣ柱のコンクリートの外周部が囲まれている請求項１又は２に記載のＲＣ柱天面部への梁鉄骨の設置構造。
【発明の詳細な説明】
【技術分野】
【０００１】
本発明は、ＲＣ柱天面部への梁鉄骨の設置構造に関する。
【背景技術】
【０００２】
階下のＲＣ柱のコンクリートを打ち、該ＲＣ柱の天面部に梁鉄骨を設置し、その上に梁鉄骨を包むように階上のＲＣ柱のコンクリートを打っていくというようにして柱ＲＣ・梁Ｓの構造物を造っていくことがある。
【０００３】
例えばそのような構造物において、図８に示すように、階下のＲＣ柱５１の天面部に梁鉄骨５２を設置するのに、従来は、階下のＲＣ柱５１のコンクリート打設時に該柱天面部の未硬化状態のコンクリートに対して鉄ダンゴ５３とガイド鉄筋５４，５４を植え付け、ガイド鉄筋５４，５４は傾け、コンクリートの硬化後、鉄ダンゴ５３で梁鉄骨５２のレベルを調整し、ガイド鉄筋５４，５４で梁鉄骨５２の水平方向の位置を決め、そして、ＲＣ柱５１の天面部と梁鉄骨５２との間に充填材としてのグラウト５５を充填することが行われていた。
【発明の開示】
【発明が解決しようとする課題】
【０００４】
しかしながら、上記の構造では、梁鉄骨５２の水平方向の位置を決めるのに、未硬化状態のコンクリートに植え付けられた傾斜させたガイド鉄筋５４，５４を用いるものであるので、これら傾斜させたガイド鉄筋５４，５４を階下のＲＣ柱５１の天面部に精度良く取り付けるのが難しく、梁鉄骨５２の水平方向の位置に狂いを生じてしまわないようにするのが施工上非常に難しいという問題がある。
【０００５】
また、梁鉄骨５２は、グラウト５５が硬化するまでの間、梁鉄骨５２の下面中央部一カ所が鉄ダンゴ５３で支承されると共に、傾けて植設されたガイド鉄筋５４，５４で両側からガイドされているだけであり、それだけでは設置状態の姿勢安定性に欠け、例えば、上に作業者を乗せての建方作業の安全確保が難しいという問題もある。
【０００６】
本発明は、上記のような問題点に鑑み、梁鉄骨をＲＣ柱の天面部に水平方向の位置精度高くしかも容易に設置することができ、加えて、グラウト等の充填材が硬化するまでの間の梁鉄骨の姿勢安定性を高いものにすることができるＲＣ柱天面部への梁鉄骨の設置構造を提供することを課題とする。
【課題を解決するための手段】
【０００７】
上記の課題は、ＲＣ柱の天面部に、柱側垂直プレートが、ＲＣ柱の側面から外方に突出するようにＲＣ柱のコンクリート中に埋込み状態に設けられると共に、梁鉄骨に下方に突出する梁側垂直プレートが設けられ、梁鉄骨が、その垂直プレートをＲＣ柱側の側方に突出するプレート部とボルト接合することにより、ＲＣ柱の天面部から上方に離間した状態となるように設置され、かつ、ＲＣ柱の天面部と梁鉄骨との間にグラウト等の充填材が充填されていることを特徴とするＲＣ柱天面部への梁鉄骨の設置構造によって解決される。
【０００８】
この構造では、柱側垂直プレートをＲＣ柱のコンクリート中に垂直にして埋込み状態に設けたものであるから、該柱側垂直プレートを精度良くＲＣ柱の天面部のコンクリート中に埋込み状態に設けることができ、そのため、該柱側垂直プレートに、梁鉄骨側の垂直プレート部を精度良く取り付けることができて、梁鉄骨をＲＣ柱の天面部に水平方向の位置精度高く設置することができる。しかも、梁鉄骨側の垂直プレートとＲＣ柱側の垂直プレート部とをボルト接合するだけでよいから、それを容易に行うことができる。
【０００９】
加えて、梁鉄骨側の垂直プレートとＲＣ柱側の垂直プレート部のボルト接合でＲＣ柱と梁鉄骨とをしっかり一体化することができて、グラウト等の充填材が硬化するまでの間の梁鉄骨の姿勢安定性を高いものにすることができ、上に作業者を乗せての建方作業の安全も容易に確保することができる。
【００１０】
更に、柱側垂直プレートは、ＲＣ柱の側面から外方に突出するように設けられ、該側方突出部において、梁鉄骨側の垂直プレートがボルト接合されているので、ボルト接合の作業を容易に行うことができる。
【００１１】
上記の構造において、ＲＣ柱側の垂直プレート部のボルト通孔、及び／又は、梁鉄骨側の垂直プレートのボルト通孔が、梁鉄骨の高さ位置を調整可能なルーズ孔からなる場合は、該ルーズ孔によって梁鉄骨のレベル調整ができ、しかも、ボルト通孔をルーズ孔にしただけのものであるから、レベル調整を簡素な機構でコスト的に有利に実現することができる。
【００１２】
また、上記の構造において、ＲＣ柱側の垂直プレートに、該ＲＣ柱の主筋を囲むループ状のバンドプレート部が一体的に設けられており、該バンドプレート部がＲＣ柱のコンクリート中に埋込み状態に設けられている場合は、ＲＣ柱のコンクリート打設時に、バンドプレート部をＲＣ柱の主筋を利用してセットすることにより、ＲＣ柱側の垂直プレートを精度良く容易にセットすることができる。のみならず、バンドプレート部によって支圧破壊抑制効果を得ることができる。
【００１３】
また、ＲＣ柱側の垂直プレートに、該ＲＣ柱のコンクリートの外周部を囲むループ状のバンドプレート部が一体的に備えられ、該バンドプレート部でＲＣ柱のコンクリートの外周部が囲まれているのもよい。この場合は、支圧破壊抑制効果をより高いものにすることができる。
【発明の効果】
【００１４】
本発明は、以上のとおりのものであるから、梁鉄骨をＲＣ柱の天面部に水平方向の位置精度高くしかも容易に設置することができ、加えて、グラウト等の充填材が硬化するまでの間の梁鉄骨の姿勢安定性を高いものにすることができる。
【発明を実施するための最良の形態】
【００１５】
次に、本発明の実施最良形態を図面に基づいて説明する。
【００１６】
図１に示す第１実施形態の設置構造において、１はＲＣ柱、２は梁鉄骨、３は充填材としてのグラウトであり、ＲＣ柱１は平面視方形状をしており、梁鉄骨２は上下のフランジとこれらフランジをつなぐウェブとを備えたＨ形鋼を平面視十字状に溶接で接合一体化したものである。
【００１７】
ＲＣ柱１の天面部には、図２に示すように、平面視十字状をした鋼製の柱側垂直プレート４が、各辺の先端側４ａ…をＲＣ柱１の側面から外方に突出させるようにして、ＲＣ柱１のコンクリート中に、該コンクリートの打設時に埋込み状態に設けられ、柱側垂直プレート４の各側方突出板部４ａ…にボルト通孔５…が設けられている。
【００１８】
また、梁鉄骨２には、柱側垂直プレート４の側方突出板部４ａ…の位置に対応して、下方に突出する鋼製の梁側垂直プレート６…が設けられ、各梁側垂直プレート６…にボルト通孔７…が設けられている。
【００１９】
そして、梁鉄骨２は、図３に示すように、その垂直プレート６…が、ＲＣ柱１のコンクリート中に埋込み状態にされた柱側垂直プレート４の側方突出板部４ａ…と重ね合わせ状態にされ、ボルト通孔５…，７…に通されたボルト８…で接合されることにより、ＲＣ柱１の天面部から上方に離間した状態に設置され、その設置状態において、図１（ロ）に示すように、ＲＣ柱１の天面部と梁鉄骨２の下面部との間にグラウト３が充填されている。
【００２０】
梁鉄骨２のレベル調整は、柱側垂直プレート４のボルト通孔５…及び／又は梁側の垂直プレート６…のボルト通孔７…の上下方向の寸法を、ボルト８の軸部の直径寸法よりも長く設定しておくことで、梁鉄骨２をＲＣ柱１の天面部に設置する際に行うようになされている。なお、レベル調整のためのボルト通孔５…，６…の形態は長孔であってもよいし、ボルト軸よりも径大な円形孔であってもよい。
【００２１】
こうして梁鉄骨２をＲＣ柱１の天面部に設置し、グラウト３を充填し硬化させた後、階上のＲＣ柱のコンクリートを打設し、梁鉄骨２の中心側をそのコンクリートで包み込んでいくようにしていけば、柱ＲＣ・梁Ｓの構造物が構築されていく。
【００２２】
上記の設置構造では、柱側垂直プレート４をＲＣ柱１のコンクリート中に垂直に埋込み状態に設けたものであるから、該柱側垂直プレート４を精度良くＲＣ柱１の天面部のコンクリート中に埋込み状態に設けることができ、そのため、該柱側垂直プレート４に、梁鉄骨２側の垂直プレート６…を精度良く取り付けることができて、梁鉄骨２をＲＣ柱１の天面部に水平方向の位置精度高く設置することができる。しかも、梁鉄骨２側の垂直プレート６…とＲＣ柱１側の垂直プレート４の側方突出板部４ａとをボルト接合するだけでよいから、それを容易に行うことができる。
【００２３】
加えて、梁鉄骨２側の垂直プレート６…とＲＣ柱１側の垂直プレート４の側方突出板部４ａのボルト接合でＲＣ柱１と梁鉄骨２とをしっかり一体化することができて、グラウト３が硬化するまでの間の梁鉄骨２の姿勢安定性を高いものにすることができ、梁上に作業者を乗せての建方作業の安全も容易に確保することができる。
【００２４】
更に、柱側垂直プレート４は、ＲＣ柱１の側面から外方に突出するように設けられ、該側方突出部４ａ…において、梁鉄骨２側の垂直プレート６…がボルト接合されるようになされているので、ボルト接合の作業を施工上容易に行っていくことができる。
【００２５】
図４及び図５に示す第２実施形態の構造は、ＲＣ柱１側の十字状垂直プレート４に、ＲＣ柱１の主筋１ａ…を囲むループ状をした鋼製のバンドプレート部９が一体的に設けられており、該バンドプレート部９がＲＣ柱のコンクリート中に埋込み状態に設けられているものである。バンドプレート部９は、柱側垂直プレート４の各辺間にＬ形の垂直プレートを配置して溶接などで接合一体化することなどによって柱側垂直プレート４と組み合わせることができる。
【００２６】
このように、柱側垂直プレート４にバンドプレート部９を一体的に備えさせた構造とすることにより、ＲＣ柱１のコンクリート打設時に、バンドプレート部９をＲＣ柱１の主筋１ａ…を利用してセットすることで、ＲＣ柱１側の垂直プレート４を精度良く容易にセットしていくことができ、しかも、バンドプレート部９によってコンクリートの支圧破壊抑制効果を高めることができる。
【００２７】
図６及び図７に示す第３実施形態の設置構造は、柱側垂直プレート４のバンドプレート部９がＲＣ柱１のコンクリートの外周部を囲むループ状のバンドプレート部からなり、該バンドプレート部９でＲＣ柱１のコンクリートの外周部が囲まれた構造となっている。この構造では、バンドプレート部によるコンクリートの支圧破壊抑制効果をより高いものにすることができる。
【００２８】
以上に、本発明の実施形態を示したが、本発明はこれに限られるものではなく、発明思想を逸脱しない範囲で各種の変更が可能である。例えば、上記の実施形態では、梁鉄骨２が平面視十字状で、柱側垂直プレート４として平面視十字状のプレートを用いた場合を示したが、梁鉄骨が平面視Ｔ字状である場合は、柱側垂直プレート４として平面視Ｔ字状のプレートを用いるようにしてもよいし、梁鉄骨が平面視Ｌ字状である場合は、柱側垂直プレート４として平面視Ｌ字状のプレートを用いるようにしてもよいし、梁鉄骨が平面視直線状である場合は、柱側垂直プレート４として平面視直線状のプレートを用いるようにしてもよい。
【００２９】
また、柱側垂直プレートにおいて、ＲＣ柱の側面から外方に突出する側方突出板部の数は、梁鉄骨の平面視形状にかかわらず、一つ又は複数備えられていればよい。
【００３０】
更に、ＲＣ柱のコンクリート中に埋込み状態にされる柱側垂直プレートの上端位置は、図示実施形態のように、ＲＣ柱の天面部と面一であってもよいし、ＲＣ柱の天面部よりも低くてもよいし、ＲＣ柱の天面部から上方に突出していてもよい。また、上記の実施形態では、充填材としてグラウトを用いた場合を示したが、コンクリートやその他の充填材が用いられてもよい。
【図面の簡単な説明】
【００３１】
【図１】第１実施形態の設置構造を示すもので、図（イ）は平面図、図（ロ）は正面図、図（ハ）は図（ロ）のＩ−Ｉ線断面矢視図である。
【図２】図（イ）はＲＣ柱と梁鉄骨とを分離状態にして示す斜視図、図（ロ）は柱側垂直プレートの斜視図である。
【図３】図（イ）〜図（ハ）は、梁鉄骨の設置方法を順次に示す正面図である。
【図４】第２実施形態の設置構造を示すもので、図（イ）は平面図、図（ロ）は正面図、図（ハ）は図（ロ）のＩＩ−ＩＩ線断面矢視図である。
【図５】図（イ）はＲＣ柱と梁鉄骨とを分離状態にして示す斜視図、図（ロ）は柱側垂直プレートの斜視図である。
【図６】第３実施形態の設置構造を示すもので、図（イ）は平面図、図（ロ）は正面図、図（ハ）は図（ロ）のＩＩＩ−ＩＩＩ線断面矢視図である。
【図７】図（イ）はＲＣ柱と梁鉄骨とを分離状態にして示す斜視図、図（ロ）は柱側垂直プレートの斜視図である。
【図８】従来の構造を示すもので、図（イ）は平面図、図（ロ）はグラウト充填前の断面正面図、図（ハ）はグラウト充填硬化後の断面正面図である。
【符号の説明】
【００３２】
１…ＲＣ柱
１ａ…主筋
２…梁鉄骨
３…グラウト
４…柱側垂直プレート
４ａ…側方突出板部
５…ボルト通孔
６…梁側垂直プレート
７…ボルト通孔
８…ボルト
９…バンドプレート部
【図１】
2007132000.tif 000003
【図２】
2007132000.tif 000004
【図３】
2007132000.tif 000005
【図４】
2007132000.tif 000006
【図５】
2007132000.tif 000007
【図６】
2007132000.tif 000008
【図７】
2007132000.tif 000009
【図８】
2007132000.tif 000010